【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
撮像部と、
前記撮像部により得られた動画データに所定の処理を施す複数の画像処理回路と、
メモリと、
を有する画像処理装置であって、
前記撮像部と、前記複数の画像処理回路とは、直列に接続されており、
前記画像処理回路は、
前記撮像部および前段の画像処理回路からデータを入力する入力手段と、
前記データに前記前段の画像処理回路が所定の処理を施した第１処理データが含まれる場合に、前記第１処理データをバッファに記憶する記憶手段と、
前記バッファに記憶された前記第１処理データを、前記メモリに書き込む書込手段と、
前記バッファに記憶された前記第１処理データのデータ量が閾値に達したことに応じて、前記前段の画像処理回路に制御信号を出力する検出手段と、
前記データのうち、第１部分データに所定の画像処理を施した第２処理データを前記メモリに記憶する処理手段と、
前記データに後段の画像処理回路の前記処理手段が前記所定の画像処理を施す第２部分データが含まれる場合に、前記第２部分データと、前記メモリから読み出した前記第２処理データとを、前記後段の画像処理回路に出力する出力手段と、
を備え、
前記出力手段は、前記後段の画像処理回路が前記制御信号を出力した場合に、前記第２処理データの出力を停止する
ことを特徴とする画像処理装置。
【請求項２】
前記第１処理データが、それぞれが複数の前記前段の画像処理回路で処理された複数の処理データを含む場合、前記検出手段は、各前段の画像処理回路に前記制御信号を出力することを特徴とする請求項１に記載の画像処理装置。
【請求項３】
前記閾値は、前記画像処理回路と前記撮像部との間に接続された前記前段の画像処理回路の数に対応する値であることを特徴とする請求項１または請求項２に記載の画像処理装置。
【請求項４】
前記出力手段は、前記第２処理データを複数の前記後段の画像処理回路に宛てて出力し、
複数の前記後段の画像処理回路のうち、前記制御信号を出力した前記後段の画像処理回路に対して、前記第２処理データの出力を停止することを特徴とする請求項１乃至請求項３のいずれか一項に記載の画像処理装置。
【請求項５】
前記複数の画像処理回路はそれぞれ、単一の半導体集積回路として構成されることを特徴とする請求項１乃至請求項４のいずれか一項に記載の画像処理装置。
【請求項６】
撮像部と、
前記撮像部と接続する第１画像処理回路と、
前記第１画像処理回路と接続する第２画像処理回路と、
前記第１画像処理回路に接続する第１メモリと、
前記第２画像処理回路に接続する第２メモリと、
を有する画像処理装置であって、
前記第１画像処理回路は、
前記撮像部から出力された動画データのうち、前記第１画像処理回路が処理する第１部分データと、前記第２画像処理回路が処理する第２部分データとを分離する分離手段と、
前記第１部分データに所定の処理を施して第１処理データを生成し、前記第１メモリに前記第１処理データを記憶する第１処理手段と、
前記第２部分データと前記第１メモリから読み出した前記第１処理データとを前記第２画像処理回路に出力する出力手段と、
を備え、
前記第２画像処理回路は、
前記第１画像処理回路から受信したデータのうち、前記第１処理データをバッファに記憶する記憶手段と、
前記バッファから前記第１処理データを読み出して、前記第１処理データを前記第２メモリに書き込む書込手段と、
前記バッファに記憶された前記第１処理データのデータ量が閾値に達したことに応じて、前記第１画像処理回路に制御信号を出力する検出手段と、
前記第１画像処理回路から受信したデータのうち、前記第２部分データに前記所定の処理を施して、第２処理データを生成し、前記第２メモリに前記第２処理データを記憶する第２処理手段と、
を備え、
前記第１画像処理回路の前記出力手段は、前記第２画像処理回路の前記検出手段から前記制御信号が出力された場合に、前記第１処理データの出力を停止することを特徴とする画像処理装置。
【請求項７】
前記第１画像処理回路の前記出力手段は、前記第２画像処理回路の前記検出手段から前記制御信号が出力された場合に、前記第１処理データの出力を停止し、前記第２部分データを出力することを特徴とする請求項６に記載の画像処理装置。
【請求項８】
前記第２画像処理回路は、前記第２メモリから、前記第１処理データと、前記第２処理データとを読み出して、表示装置に出力する表示制御部を有することを特徴とする請求項６または請求項７に記載の画像処理装置。
【請求項９】
前記検出手段は、前記バッファに記憶された前記第１処理データのデータ量が、前記第１処理データの種類に応じた閾値に達した場合に、前記制御信号を出力することを特徴とする請求項６乃至請求項８のいずれか１項に記載の画像処理装置。
【請求項１０】
前記分離手段は、前記撮像部から出力された前記動画データのフレームの下半分を前記第１部分データとし、前記撮像部から出力された動画データのフレームの上半分を前記第２部分データとすることを特徴とする請求項６乃至請求項９のいずれか１項に記載の画像処理装置。
【請求項１１】
前記出力手段は、前記第１部分データを前記第２の画像処理回路に出力しないことを特徴とする請求項請求項６乃至請求項１０のいずれか１項に記載の画像処理装置。
【請求項１２】
前記第１の画像処理回路と、前記第２の画像処理回路はそれぞれ、単一の半導体集積回路として構成されることを特徴とする請求項６乃至請求項１１のいずれか１項に記載の画像処理装置。
【請求項１３】
前記所定の処理は、前記動画データの現像処理と、前記現像処理された動画データを圧縮する圧縮処理とを含むことを特徴とする請求項１乃至請求項１２のいずれか１項に記載の画像処理装置。
【手続補正２】
【補正対象書類名】明細書
【補正対象項目名】発明の名称
【補正方法】変更
【補正の内容】
【発明の名称】画像処理装置
【手続補正３】
【補正対象書類名】明細書
【補正対象項目名】０００７
【補正方法】変更
【補正の内容】
【０００７】
その一側面によれば、撮像部と、
前記撮像部により得られた動画データに所定の処理を施す複数の画像処理回路と、
メモリと、
を有する画像処理装置であって、
前記撮像部と、前記複数の画像処理回路とは、直列に接続されており、
前記画像処理回路は、
前記撮像部および前段の画像処理回路からデータを入力する入力手段と、
前記データに前記前段の画像処理回路が所定の処理を施した第１処理データが含まれる場合に、前記第１処理データをバッファに記憶する記憶手段と、
前記バッファに記憶された前記第１処理データを、前記メモリに書き込む書込手段と、
前記バッファに記憶された前記第１処理データのデータ量が閾値に達したことに応じて、前記前段の画像処理回路に制御信号を出力する検出手段と、
前記データのうち、第１部分データに所定の画像処理を施した第２処理データを前記メモリに記憶する処理手段と、
前記データに後段の画像処理回路の前記処理手段が前記所定の画像処理を施す第２部分データが含まれる場合に、前記第２部分データと、前記メモリから読み出した前記第２処理データとを、前記後段の画像処理回路に出力する出力手段と、
を備え、
前記出力手段は、前記後段の画像処理回路が前記制御信号を出力した場合に、前記第２処理データの出力を停止する
ことを特徴とする画像処理装置が提供される。
また他の側面によれば、撮像部と、
前記撮像部と接続する第１画像処理回路と、
前記第１画像処理回路と接続する第２画像処理回路と、
前記第１画像処理回路に接続する第１メモリと、
前記第２画像処理回路に接続する第２メモリと、
を有する画像処理装置であって、
前記第１画像処理回路は、
前記撮像部から出力された動画データのうち、前記第１画像処理回路が処理する第１部分データと、前記第２画像処理回路が処理する第２部分データとを分離する分離手段と、
前記第１部分データに所定の処理を施して第１処理データを生成し、前記第１メモリに前記第１処理データを記憶する第１処理手段と、
前記第２部分データと前記第１メモリから読み出した前記第１処理データとを前記第２画像処理回路に出力する出力手段と、
を備え、
前記第２画像処理回路は、
前記第１画像処理回路から受信したデータのうち、前記第１処理データをバッファに記憶する記憶手段と、
前記バッファから前記第１処理データを読み出して、前記第１処理データを前記第２メモリに書き込む書込手段と、
前記バッファに記憶された前記第１処理データのデータ量が閾値に達したことに応じて、前記第１画像処理回路に制御信号を出力する検出手段と、
前記第１画像処理回路から受信したデータのうち、前記第２部分データに前記所定の処理を施して、第２処理データを生成し、前記第２メモリに前記第２処理データを記憶する第２処理手段と、
を備え、
前記第１画像処理回路の前記出力手段は、前記第２画像処理回路の前記検出手段から前記制御信号が出力された場合に、前記第１処理データの出力を停止することを特徴とする画像処理装置が提供される。